(57)【要約】【課題】ロープライトの構造の提供。【解決手段】本考案はロープライトの構造であり、発光チップを直接に導線と組合せ、またその上から金属線を一本引いてほかの導線と接続し、電気接続を形成する。当該位置に絶縁プラスチック材を覆いて発光体を作る。電気コードの上に、該当発光体を複数接続すれば、新型のロープライトになり、実用性と進歩性を備えるものである。【選択図】図２
0003131410.tif 000002
【実用新案登録請求の範囲】
【請求項１】
二本の導線を含み、二本の導線の上に適切な距離を置いて導線の絶縁表面部分を取り除いてから、中の金属部を露出させ、いずれか一方の導線の露出金属部には、発光チップを設置し、また金属線を設置し、その両端はそれぞれ発光チップともう一本の導線の露出金属部と接続して導電状態にさせ、それから、発光チップと金属線の部分を除いて、導線を絶縁プラスチック材で覆い、二本の導線の露出金属部をカーバーした上に、絶縁表面も強く結ばれている発光体の構造になることを特徴とするロープライトの構造。
【請求項２】
当該導線は可撓性を持ち、数量は三本や三本以上どちらでもかまわなく、且つ複数の発光体を接続してイルミネーションを形成することを特徴とする請求項1で述べられているロープライトの構造。
【考案の詳細な説明】
【技術分野】
【０００１】
本考案はロープライトの構造に関するものであり、特に、体積が縮小でき、装着しやすい、コストダウンが可能なロープライト構造を指している。また、防水、ワードアングル照明、および可撓性の特性がある。
【背景技術】
【０００２】
周知のデコレーション、ロープライトは二本の導線をベースに、その上には多くの小型電球を結んで、発光可能のデコレーションライトを形成する。しかし、従来のロープライトは電気の消耗がひどく、脱落や接触不良がよく発生したため、改善案が提出された。改善案では、電球の代わりにLEDを使用する。該当LED構造は図１が示しているように、プラスチック材(5)を使い柱型のライトを作り、該当プラスチック材(5)の中に対応する電極フラット(60)(61)のセットを設けている。該当電極フラット(60)には発光チップ(1)が設置されていて、電極に細やかな金属線(30)で二枚の電極フラット(60)(61)と接続する。該当電極フラット(60)(61)の下にサポート(62)(63)があり、プラスチック材(5)から出て二本の導線と繋がる。
【０００３】
上述した構造により、周知の複数のLEDを利用してクリスマスのイルミネーションを作るとき、まずLEDの一本の足をプラス電源の導線に溶接してから、もう一本の足をマイナス電源の導線に溶接する。しかし、このような作成方法は非常に煩雑であるため、コストが高く、商品の競争力が低下していた。
【０００４】
さらに、従来のLEDロープライトのプラスチック材、電極フラットおよびサポートは導線より位置が高いため、セット全体の体積が大きく、設置するには非常に手数がかかる。さらに言えば、従来のLEDの光りはプラスチック材の上部からしか出なかったので、光線は弱い感じがする。美観の面や使用面で考えたら、不足な点があると思う。
【考案の開示】
【考案が解決しようとする課題】
【０００５】
本考案の主な目的は、体積をより縮小した、設置しやすい、コストダウンでき、広角照明可能、防水性、可撓性の特性を持つロープライトを提案することである。
【０００６】
それゆえ、図２と図４が示しているように、本考案には、二本の導線(2)(3)がある。この二本の導線の上に適切な距離を置いて導線(2)(3)の絶縁表面(21)(31)を取り除いて、中の金属部(22)(32)を露出させる。いずれか一方の導線(本例では導線(2))の露出金属部(22)に発光チップ(1)を設置する。また、金属線(11)を設け、その両端はそれぞれ発光チップ(1)と、一本の導線(3)の露出金属部(32)と接続して導電状態にさせる。それから、発光チップ(1)と金属線(11)の部分を除いて、導線を絶縁プラスチック材(4)で覆う。二本の導線(2)(3)の露出金属部(22)(32)をカバーした上に、絶縁表面(21)(31)も強く結ばれている発光体(10)の構造になる。
【課題を解決するための手段】
【０００７】
請求項１の考案は、二本の導線を含み、二本の導線の上に適切な距離を置いて導線の絶縁表面部分を取り除いてから、中の金属部を露出させ、いずれか一方の導線の露出金属部には、発光チップを設置し、また金属線を設置し、その両端はそれぞれ発光チップともう一本の導線の露出金属部と接続して導電状態にさせ、それから、発光チップと金属線の部分を除いて、導線を絶縁プラスチック材で覆い、二本の導線の露出金属部をカバーした上に、絶縁表面も強く結ばれている発光体の構造になることを特徴とするロープライトの構造としている。
請求項２の考案は、当該導線は可撓性を持ち、数量は三本や三本以上どちらでもかまわなく、且つ複数の発光体を接続してイルミネーションを形成することを特徴とする請求項1で述べられているロープライトの構造としている。
【考案の効果】
【０００８】
本考案は確実に体積を縮小することができ、その上に優れたな防水性、可撓性および広角の照明特徴を備えている。且つ、こうした構造は有効にコストダウンすることが可能のため、実用性および進歩性をもっていると思う。
【考案を実施するための最良の形態】
【０００９】
二本の導線(2)(3)には、複数の上述の発光体(10)を接続すると、複数の発光体を持つロープライトになる。これは従来の考案と類似する発光効用がある。しかし、本考案はプラスチック材を利用して発光チップ、金属線および導線を直接に覆ってから接続するため、有効に体積を縮小することができる上に、有効な防水力を持つ。また、プラスチック材を利用して該当構造を覆いてから接続したため、各種の角度で曲げることや回すことが可能である上に、破損しにくいのである。その上に、周知の考案のような溶接工程が不要なので、一貫性作業で製造することが可能になり、コストダウンの効果がある。
【００１０】
そのほかに、本考案の発光チップの光線はカバーの周辺から出てくるので、照明がよりあざやかになり、また、広角の照明目的が実現できる。
上記内容をまとめると、本考案は確実に体積を縮小することができ、その上に優れたな防水性、可撓性および広角の照明特徴を備えている。且つ、こうした構造は有効にコストダウンすることが可能であるため、実用性および進歩性をもっていると思う。しかし、上記の実施例は本考案を利用するに一つの好ましい例にすぎなく、同じ主旨で改造することもできる。例えば、図５が示しているように、三本の導線を設け、複数の発光体(10)を接続すること、さらにより多くの導線を繋げることは、すべて本実用新案登録請求の範囲中に包括されるものとする。
【図面の簡単な説明】
【００１１】
【図１】周知のLEDの構造図である。
【図２】本考案の分解立体図である。
【図３】本考案の組立立体図である。
【図４】本考案の組立断面図である。
【図５】本考案の応用例の立体図である。
【符号の説明】
【００１２】
(1) 発光チップ       
(2)(3) 導線    
(4) 絶縁プラスチック材    
(5) プラスチック材
(10) 発光体
(11) 金属線
(21)(31) 絶縁表面   
(22)(32) 露出金属部
(30) 金属線
(60)(61) 電極フラット
(62)(63) サポート
【図１】
0003131410.tif 000003
【図２】
0003131410.tif 000004
【図３】
0003131410.tif 000005
【図４】
0003131410.tif 000006
【図５】
0003131410.tif 000007